(57)【要約】【課題】本発明の目的は、呼制御にかかわるネットワークへの負担を軽減する音声通話方法を提供することである。【解決手段】情報端末（１００）に音声通話を実行させるために、この情報端末の識別名及び第１ネットワーク（ＩＰサブネットＸ）上の第１アドレスを管理する音声通話ソフトウェアであって、前記情報端末が前記第１ネットワークとは異なる第２ネットワーク（ＩＰサブネットＹ）上に移動することを判断するステップと、前記第２ネットワーク上の第２アドレスを新たに取得するステップと、前記第１アドレスと前記識別名の組み合わせを登録している他の機器に、前記第１アドレスの代わりに前記第２アドレスと前記識別名の組み合わせを再登録するように依頼送信する送信ステップとを備える音声通話ソフトウェア。【選択図】      図１
2004304476.tif 000002
【特許請求の範囲】
【請求項１】
情報端末に音声通話を実行させるために、この情報端末の識別名及び第１ネットワーク上の第１アドレスを管理する音声通話ソフトウェアであって、
前記情報端末が前記第１ネットワークとは異なる第２ネットワーク上に移動することを判断するステップと、
前記第２ネットワーク上の第２アドレスを新たに取得するステップと、
前記第１アドレスと前記識別名の組み合わせを登録している他の機器に、前記第１アドレスの代わりに前記第２アドレスと前記識別名の組み合わせを再登録するように依頼送信する送信ステップと
を備える音声通話ソフトウェア。
【請求項２】
前記送信ステップは、前記第２アドレスに加えて、前記第１アドレスをさらに送信することを特徴とする請求項１記載の音声通話ソフトウェア。
【請求項３】
前記情報端末が前記他の情報端末と音声通話している場合であって、前記他の情報端末との間での呼制御パケットと音声パケットの中継を前記他の機器に依頼している場合、
前記送信ステップは、前記他の機器に対して、前記他の情報端末から前記情報端末へ転送する音声パケットの宛先を前記再登録する第２アドレスにするように依頼することを特徴とする請求項１記載の音声通話ソフトウェア。
【請求項４】
前記情報端末が前記他の情報端末と音声通話している場合であって、前記他の情報端末との間での呼制御パケットの中継を前記他の機器に依頼し、音声パケットについては前記情報端末と直接送受信している場合、
前記送信ステップは、前記他の機器に対して、前記再登録する第２アドレスを前記呼制御パケットによって前記他の情報端末に通知することを依頼することを特徴とする請求項１記載の音声通話ソフトウェア。
【請求項５】
前記情報端末が前記他の情報端末と音声通話している場合であって、前記他の情報端末との間での呼制御パケットの中継を前記他の機器に依頼し、音声パケットについては前記情報端末と直接送受信している場合、
前記送信ステップは、前記識別名及び前記第２アドレスを前記他の情報端末に直接、送信することを特徴とする請求項１記載の音声通話ソフトウェア。
【請求項６】
前記他の機器が、音声通話相手である叉はこれから音声通話相手となる他の情報端末であることを特徴とする請求項１記載の音声通話ソフトウェア。
【請求項７】
前記送信ステップは、前記第１アドレス利用時に適用する音声圧縮方式と異なる音声圧縮方式を前記第２アドレス利用時に適用する旨を送信することを特徴とする請求項１記載の音声通話ソフトウェア。
【請求項８】
前記送信ステップは、前記第１アドレス利用時に適用するポート番号と異なるポート番号を前記第２アドレス利用時に適用する旨を送信することを特徴とする請求項１記載の音声通話ソフトウェア。
【請求項９】
識別名及び第１ネットワーク上の第１アドレスを有している情報端末に音声通話させる音声通話方法であって、
前記情報端末が前記第１ネットワークとは異なる第２ネットワーク上に移動することを判断し、
前記第２ネットワーク上の第２アドレスを新たに取得し、
前記第１アドレスを登録している他の機器に、前記第１アドレスの代わりに前記第２アドレスを再登録するように依頼送信する音声通話方法。
【請求項１０】
識別名及び第１ネットワーク上の第１アドレスを有している音声通話装置であって、
前記第１ネットワークとは異なる第２ネットワーク上に移動することを判断する手段と、
前記第２ネットワーク上の第２アドレスを新たに取得する手段と、
前記第１アドレスを登録している他の機器に、前記第１アドレスの代わりに前記第２アドレスを再登録するように依頼送信する手段と
を備える音声通話装置。
【発明の詳細な説明】
【０００１】
【発明の属する技術分野】
本発明は、ＶｏＩＰ（Ｖｏｉｃｅ  ｏｖｅｒ  Ｉｎｔｅｒｎｅｔ  Ｐｒｏｔｏｃｏｌ、インターネット電話）を用いた音声通話方法に関し、特に、ＶｏＩＰ端末の移動管理方法に関する。
【０００２】
【従来の技術】
インターネットの普及に伴い、ＩＰネットワーク上でのデータ転送の速度も向上している。このため、インターネット電話も、ＬＡＮ（Ｌｏｃａｌ  Ａｒｅａ  Ｎｅｔｗｏｒｋ）等のサブネットワーク（以下、単にサブネットという）間での通話のみならず、異なるサブネット間でも通話できるようになった。
【０００３】
したがって、音声通話が可能な携帯情報機器であるＶｏＩＰ端末は、サブネット間を移動することもある。この場合、ＶｏＩＰ端末は移動後のサブネットでのＩＰアドレスを新たに取得するため、移動前のＩＰアドレスを用いて音声通話ができなくなる。
【０００４】
このような移動後に新たに取得したＩＰアドレスで通話を行うために、従来のモバイルＩＰにおける通信制御方式では、通信相手からモバイルノード宛ての呼設定要求はホームエージェントに送信される。ホームエージェントはモバイルノードの移動先のＩＰアドレスに転送する。そして、モバイルノードは通信相手に呼設定受付、呼出、応答を直接送信することによって、直接通話することができる。通話が終わると、通信相手は記憶していた移動先アドレスを削除する。したがって、通信相手は通信中の呼に係わる移動先アドレスしか記憶する必要がないため、通信相手側の装置の資源を節約することができる。
【０００５】
モバイルＩＰではアドレス管理サーバが一括してホームアドレスと移動先のアドレスのテーブルを管理している。このため、モバイルＩＰ用の送信端末では、時間が経つとクリアされるアドレステーブルキャッシュを持ち、送信端末では、電話アプリケーションソフトウェア（以下、電話ソフトウェアという）から送信データを渡されるとソケットフック処理部がアドレスを横取りして、アドレステーブルキャッシュがクリアされていれば、アドレス管理サーバに問合せして必要があれば送信アドレスを変換する。これにより、電話ソフトウェアはアドレスが変更になったことを意識することなく通信を可能とすることができる。（例えば特許文献１参照）。
【０００６】
【特許文献１】
特開２００１−１４４８１１号公報（第３、４頁、図１，２，１３）
【０００７】
【発明が解決しようとする課題】
しかし、モバイルＩＰでは、アドレス管理サーバが一括してホームアドレスと移動先のアドレスのテーブル管理をしているため、端末側でテーブルを管理していないため、通話が終了すると、アドレステーブルキャッシュデータは消去されてしまう。したがって、通話を開始する度にアドレス管理サーバに問合せする必要があり、呼制御に係わる恒常的なネットワークへの負担をかけることになる。
【０００８】
本発明の目的は、呼制御にかかわるネットワークへの負担を軽減する音声通話方法を提供することである。
【０００９】
【課題を解決するための手段】
第１の発明は、情報端末に音声通話を実行させるために、この情報端末の識別名及び第１ネットワーク上の第１アドレスを管理する音声通話ソフトウェアであって、前記情報端末が前記第１ネットワークとは異なる第２ネットワーク上に移動することを判断するステップと、前記第２ネットワーク上の第２アドレスを新たに取得するステップと、前記第１アドレスと前記識別名の組み合わせを登録している他の機器に、前記第１アドレスの代わりに前記第２アドレスと前記識別名の組み合わせを再登録するように依頼送信する送信ステップとを備える音声通話ソフトウェアである。
【００１０】
第２の発明は、前記送信ステップは、前記第２アドレスに加えて、前記第１アドレスをさらに送信することを特徴とする第１の発明記載の音声通話ソフトウェアである。
【００１１】
第３の発明は、前記情報端末が前記他の情報端末と音声通話している場合であって、前記他の情報端末との間での呼制御パケットと音声パケットの中継を前記他の機器に依頼している場合、前記送信ステップは、前記他の機器に対して、前記他の情報端末から前記情報端末へ転送する音声パケットの宛先を前記再登録する第２アドレスにするように依頼することを特徴とする第１の発明記載の音声通話ソフトウェアである。
【００１２】
第４の発明は、前記情報端末が前記他の情報端末と音声通話している場合であって、前記他の情報端末との間での呼制御パケットの中継を前記他の機器に依頼し、音声パケットについては前記情報端末と直接送受信している場合、前記送信ステップは、前記他の機器に対して、前記再登録する第２アドレスを前記呼制御パケットによって前記他の情報端末に通知することを依頼することを特徴とする第１の発明記載の音声通話ソフトウェアである。
【００１３】
第５の発明は、前記情報端末が前記他の情報端末と音声通話している場合であって、前記他の情報端末との間での呼制御パケットの中継を前記他の機器に依頼し、音声パケットについては前記情報端末と直接送受信している場合、前記送信ステップは、前記識別名及び前記第２アドレスを前記他の情報端末に直接、送信することを特徴とする第１の発明記載の音声通話ソフトウェアである。
【００１４】
第６の発明は、前記他の機器が、音声通話相手である叉はこれから音声通話相手となる他の情報端末であることを特徴とする第１の発明記載の音声通話ソフトウェアである。
【００１５】
第７の発明は、前記送信ステップは、前記第１アドレス利用時に適用する音声圧縮方式と異なる音声圧縮方式を前記第２アドレス利用時に適用する旨を送信することを特徴とする第１の発明記載の音声通話ソフトウェアである。
【００１６】
第８の発明は、前記送信ステップは、前記第１アドレス利用時に適用するポート番号と異なるポート番号を前記第２アドレス利用時に適用する旨を送信することを特徴とする第１の発明記載の音声通話ソフトウェアである。
【００１７】
第９の発明は、識別名及び第１ネットワーク上の第１アドレスを有している情報端末に音声通話させる音声通話方法であって、前記情報端末が前記第１ネットワークとは異なる第２ネットワーク上に移動することを判断し、前記第２ネットワーク上の第２アドレスを新たに取得し、前記第１アドレスを登録している他の機器に、前記第１アドレスの代わりに前記第２アドレスを再登録するように依頼送信する音声通話方法である。
【００１８】
第１０の発明は、識別名及び第１ネットワーク上の第１アドレスを有している音声通話装置であって、前記第１ネットワークとは異なる第２ネットワーク上に移動することを判断する手段と、前記第２ネットワーク上の第２アドレスを新たに取得する手段と、前記第１アドレスを登録している他の機器に、前記第１アドレスの代わりに前記第２アドレスを再登録するように依頼送信する手段とを備える音声通話装置である。
【００１９】
【発明の実施の形態】
以下、本発明の実施の形態について図面を参照しながら説明する。
ＶｏＩＰサーバ１４０がＰＤＡ１００及びＩＰ固定電話１１０をＶｏＩＰ端末として登録する登録プロトコルとしては、Ｈ．３２３及びＳＩＰ（Ｓｅｓｓｉｏｎ  Ｉｎｉｔｉａｔｉｏｎ  Ｐｒｏｔｏｃｏｌ）がある。また、発呼及び着呼を制御する呼制御プロトコルとしては、Ｈ．３２３、ＳＩＰ、及びＭＥＧＡＣＯ（Ｍｅｄｉａ  Ｇａｔｅｗａｙ  Ｃｏｎｔｒｏｌ，ＩＴＵ−Ｔでの名称はＨ．２４８）がある。そして、音声をパケットとして運ぶ伝送プロトコルとしては、ＲＴＰ（Ｒｅａｌ−ｔｉｍｅ  Ｔｒａｎｓｐｏｒｔ  Ｐｒｏｔｏｃｏｌ）がある。本実施形態では、登録プロトコル、呼制御プロトコルとしてＨ．３２３を、伝送プロトコルとしてＲＴＰを使用する。
【００２０】
図１は、本発明の実施形態にかかるＶｏＩＰシステム全体を示す図である。
ＰＤＡ１００は識別名（通常の電話番号に相当）として１０００、ＩＰアドレスとして１７２．１６．０．１０を有している。
そして、ＩＰアドレスはＩＰネットワークアドレス（例えば１７２．１６．０）と、ＩＰホストアドレス（例えば１０）から構成されている。ＩＰネットワークアドレスはサブネットなどのネットワークを識別するためのもので、ルータ１５０によって管理されている。したがって、このルータが管理するＩＰサブネットＸ（ネットワーク部：１７２．１６．０）にハブＸ１２０−１やアクセスポイントＸ１３０−１経由で接続されているＩＰ端末のＩＰネットワークアドレスは全て１７２．１６．０となる。一方、ＩＰホストアドレスは、ＩＰネットワークアドレスで識別されたネットワーク内でのホスト機器を識別するためのものである。したがって、各端末のＩＰアドレスは、ＶｏＩＰサーバ１４０ならば１７２．１６．０．１、ＩＰ固定電話１１０ならば１７２．１６．０．５、及び、ＰＤＡ１００ならば１７２．１６．０．１０となる。
【００２１】
ＶｏＩＰサーバはＩＰアドレスと端末の識別名の組み合わせを登録管理し、例えば、ＰＤＡ１００の識別名：１０００とＩＰアドレス：１７２．１６．０．１０の組み合わせを登録管理している。
【００２２】
図２は、ＩＰアドレスと識別名の登録のシーケンスを示す図である。すなわち、ＰＤＡ１００は自分の識別名（１０００）とＩＰアドレス（１７２．１６．０．１０）を登録信号により、ＶｏＩＰサーバ１４０に通知し（Ｓ２１０）、ＶｏＩＰサーバ１４０はこの情報を保存し、登録確認信号を返信する（Ｓ２２０）。
【００２３】
（第１の実施形態）
この実施形態では、呼制御パケットも音声パケットもＶｏＩＰサーバ１４０を経由してやりとりされる。
（移動しない場合の通話方法）
まず、ＶｏＩＰ端末であるＰＤＡ（Ｐｅｒｓｏｎａｌ  Ｄｉｇｉｔａｌ  Ａｓｓｉｓｔａｎｔ）１００とＩＰ固定電話１１０との通話を説明する。
図３は、ＩＰ固定電話１１０がＰＤＡ１００に電話をかける場合のシーケンスを示す図である。ＩＰ固定電話１１０は、着信先にＰＤＡの識別名（１０００）を指定して、ＶｏＩＰサーバ１４０に呼確立を要求する（Ｓ３１０）。ＶｏＩＰサーバ１４０は、識別名とＩＰアドレスの対応テーブルを参照し、呼確立要求をＰＤＡ１００に中継する（Ｓ３２０）。ＰＤＡ１００からの応答信号もＶｏＩＰサーバ１４０を中継して、発信元のＩＰ固定電話１１０へ送信される（Ｓ３３０、Ｓ３４０）。ここでは、一連の呼制御プロトコルとしてＨ．３２３を使用している。
【００２４】
その後、ＩＰ固定電話１１０とＰＤＡ１００との間で音声通話が開始されるが、音声パケットもＶｏＩＰサーバ１４０を経由して送受信される（Ｓ３５０、Ｓ３６０）。ここでは、音声通話の伝送プロトコルとしてＲＴＰを使用している。
【００２５】
（ローミング；サブネットを移動してから通話を開始）
次に、ローミング、すなわち、ＩＰサブネットを移動してから通話を開始する場合について説明する。ここでは、ＰＤＡ１００がＩＰサブネットＸからＩＰサブネットＹへ移動してから、ＰＤＡ１００とＩＰ固定電話１１０との間で通話を開始する場合を例に説明する。前提として、ＰＤＡ１００の識別名（１０００）はＩＰサブネットの移動前後で変更がないとしている。
【００２６】
図４は、ＰＤＡ１００がＩＰサブネットＸからＩＰサブネットＹへ移動した場合に、新たなＩＰアドレスの取得及びその再登録のフローチャートである。ＰＤＡ１００がアクセスポイントＸ１３０−１から遠ざかり、アクセスポイントＹ１３０−２に近づくと、ＰＤＡ１００のドライバ（ＯＳＩ参照モデルのデータリンク層に相当）は、アクセスポイントＸからの電波が弱くなり、かつ、アクセスポイントＹからの電波が強くなったことを検出する（Ｓ４１０）。すると、ＰＤＡ１００の電話ソフトウェアはＩＰサブネットがＸからＹへ移動したと判断する（Ｓ４２０）。ＰＤＡ１００の電話ソフトウェアはＤＨＣＰ（Ｄｙｎａｍｉｃ  Ｈｏｓｔ  Ｃｏｎｆｉｇｕｒａｔｉｏｎ  Ｐｒｏｔｏｃｏｌ、動的ホスト構成プロトコル）サーバ１６０に問合せすることによって、新しいＩＰアドレスを取得し、ネットワーク層のＩＰアドレスを１７２．１６．０．１０から１７２．１６．１．１０へ書き換える（Ｓ４３０）。その後、ＰＤＡ１００の電話ソフトウェアは、ＶｏＩＰサーバ１４０に対し、識別名：１０００のＩＰアドレスが、新しく取得したＩＰアドレス（１７２．１６．１．１０）に変更されたことを伝え、再登録を依頼する（Ｓ４４０）。この依頼時に、新しく取得したＩＰアドレスの他に、現在登録されているＩＰアドレス（１７２．１６．０．１０）も送信すれば、ＶｏＩＰサーバ１４０では、ＰＤＡ１００の移動に伴う再登録であるか、別のＶｏＩＰクライアントが同一識別名を利用して登録したのか区別が付き、ＰＤＡ１００の識別名と新しく取得したＩＰアドレスとの対応付けを確実にすることができる。例えば、別のＶｏＩＰクライアントが同一識別名を利用した場合、すでに識別名：１０００はＰＤＡ１００が使用しているため、登録を拒否することができる。また、わざと識別名：１０００を利用する悪意の利用者の使用を防ぐこともできる。
【００２７】
これによって、ＶｏＩＰサーバ１４０は、ＩＰ固定電話１１０から着信先をＰＤＡ１００の識別名（１０００）とした呼確立要求を受け取ると、再登録したＩＰアドレス（１７２．１６．１．１０）宛にこの信号を中継する。これにより、ＰＤＡ１００は移動先のＩＰサブネットＹからでもＩＰ固定電話１１０からの着信を受けることができる。なお、このローミング時も、通話が開始されるまでの呼制御は図４で説明したフローチャートに沿って行われる。
【００２８】
（ハンドオーバ；通話中にサブネットを移動した場合の通話継続）
次に、ハンドオーバ、すなわち、通話中にサブネットを移動した場合の通話継続について、図５を用いて説明する。ＰＤＡ１００がＩＰサブネットＸからＩＰサブネットＹへ移動した場合（Ｓ５１０）に、ＶｏＩＰサーバ１４０に対し、識別名：１０００のＩＰアドレスが、新しく取得したＩＰアドレス（１７２．１６．１．１０）に変更されたことを伝え、再登録を依頼する（Ｓ５２０）。ここまでの手順は、図４と同様であり、図５にはこの再登録の後が主に記述されている。なお、ＩＰアドレスの変更を伝えると同時に、ＰＤＡ１００内のソフトウェアを特定するポート番号の変更を伝えてもよい。例えば、ＩＰアドレスが変更されると共に、ポート番号も２５００から２５０１に変更されることを伝えてもよい。
【００２９】
この再登録を受信したＶｏＩＰサーバ１４０は、識別名１０００の端末が通話中であるとわかると、音声パケットのあて先を、新しく取得したＩＰアドレス（１７２．１６．１．１０）に変更する（Ｓ５３０）。
【００３０】
さらに、本実施形態によれば、ＶｏＩＰサーバ１４０が通話の中継を行っているため、サブネットを移動した端末は、ＶｏＩＰサーバへ再登録を行うだけで、他のＶｏＩＰクライアント端末を含めた三者乃至多数の音声会議等の通話も継続することができる（Ｓ５４０、Ｓ５５０）。また、呼制御パケットの中に、ＩＰサブネットＸで適用していた音声圧縮方式と異なる音声圧縮方式をＩＰサブネットＹで適用する旨を通知してもよい。
【００３１】
（第２の実施形態）
図６は、第２の実施形態にかかる呼制御のシーケンスである。この実施形態では、呼制御パケットは、ＶｏＩＰサーバ１４０を経由してやりとりされるが、音声パケットは直接エンド−エンドで送受信されている。ただし、ＶｏＩＰサーバ１４０は、必要な状態を設定した呼制御信号を端末に送信することにより、その端末がエンドーエンドで通話中の呼の相手のＩＰアドレス等を変える手段をもたせる。これにより、通話中の端末がサブネットを変更した場合（Ｓ６１０）にも、ＶｏＩＰサーバは通話相手に移動した端末のＩＰアドレス変更を通知できるため、通話の継続が実現できる（Ｓ６２０〜Ｓ６５０）。
【００３２】
（第３の実施形態）
図７は、第３の実施形態にかかる呼制御のシーケンスである。この実施形態でも、呼制御パケットは、ＶｏＩＰサーバ１４０を経由してやりとりされるが、音声パケットは直接エンド−エンドで送受信されている。ただし、ＶｏＩＰサーバ１４０に第２の実施形態の手段はもたせず、サブネット変更（Ｓ７１０）した端末が通話呼を持っていた場合、この端末自身が通話相手に対して音声パケットの送信先ＩＰアドレスの変更依頼を通知する（Ｓ７２０〜Ｓ７５０）。
【００３３】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。
【００３４】
例えば、ＩＰ固定電話１１０はＰＤＡ１００の識別名を知っているが、ＩＰアドレスを知らないために、ＶｏＩＰサーバ１４０にＰＤＡ１００のＩＰアドレスを問い合わせている（図３のＳ３１０）。しかし、ＩＰ固定電話１１０がＰＤＡ１００の識別名とＩＰアドレスとの対応表を予め有している場合は、ＩＰ固定電話１１０はＰＤＡ１００のＩＰアドレスへ直接、呼制御パケット及び音声パケットを送り通話を開始してもよい。さらに、ＰＤＡ１００はＩＰサブネットを越える移動を行った場合、直接、ＩＰ固定電話１１０に新たに取得したＩＰアドレス（１７２．１６．１．１０）の再登録を依頼することによって、通話を継続することができる。
【００３５】
この他にも、ＶｏＩＰ端末の一例として、携帯型情報端末であるＰＤＡを用いて説明したが、ノートパソコン等であってもよい。また、ＩＰ（Ｉｎｔｅｒｎｅｔ  Ｐｒｏｔｏｃｏｌ）としては、ＩＰｖ４（ＩＰ  ｖｅｒｓｉｏｎ  ４）の他に、ＩＰｖ６（ＩＰ  ｖｅｒｓｉｏｎ  ６）を使用しても良い。
【００３６】
【発明の効果】
上述したように本発明によれば、呼制御にかかわるネットワークへの負担を軽減する音声通話方法を提供することができる。
【図面の簡単な説明】
【図１】本発明の実施形態にかかるＶｏＩＰシステム全体を示す図。
【図２】ＩＰアドレスと識別名の登録のシーケンスを示す図。
【図３】ＩＰ固定電話１１０がＰＤＡ１００に電話をかける場合のシーケンスを示す図。
【図４】ＰＤＡ１００がＩＰサブネットＸからＩＰサブネットＹへ移動した場合に、新たなＩＰアドレスの取得及びその再登録のフローチャート。
【図５】通話中にサブネットを移動した場合の通話継続のシーケンスの示す図。
【図６】呼制御パケットは、ＶｏＩＰサーバを経由してやりとりされるが、音声パケットは直接エンド−エンドで送受信される場合のシーケンスを示す図。
【図７】呼制御パケットは、ＶｏＩＰサーバを経由してやりとりされるが、音声パケットは直接エンド−エンドで送受信される場合のシーケンスを示す図。
【符号の説明】
１００  ＶｏＩＰ端末（例、ＰＤＡ）
１１０  ＩＰ固定電話
１２０  ハブ
１３０  アクセスポイント
１４０  ＶｏＩＰサーバ
１５０  ルータ
１６０  ＤＨＣＰサーバ
【図１】
2004304476.tif 000003
【図２】
2004304476.tif 000004
【図３】
2004304476.tif 000005
【図４】
2004304476.tif 000006
【図５】
2004304476.tif 000007
【図６】
2004304476.tif 000008
【図７】
2004304476.tif 000009